(57)【要約】【課題】端子金具の半挿入検知の信頼性を向上させた積層コネクタを提供する。【解決手段】積層コネクタは、互いに積層される第１ハウジング１０Ａおよび第２ハウジング１０Ｂを備える。第１ハウジング１０Ａおよび第２ハウジング１０Ｂは、それぞれ、第１対向面１１Ａおよび第２対向面１１Ｂに、半挿入状態の第２端子金具６０Ｂおよび第１端子金具６０Ａと干渉する第１検知部１７Ａおよび第２検知部１７Ｂを有している。第１ハウジング１０Ａは、第１対向面１１Ａとは反対側の外側面に、幅方向に沿う領域を切欠した形状で奥行方向に延び、奥行方向両端が開放された溝部３５が凹設されている。【選択図】図９
2020068099.tif 000002
【特許請求の範囲】
【請求項１】
互いに積層される一対のハウジングを備え、
前記一対のハウジングのうち、少なくとも一方のハウジングは、他方のハウジングと積層方向で対向する対向面に、他方のハウジングのキャビティに向けて突出し、前記キャビティに半挿入された端子金具と干渉する検知部を有し、
前記一方のハウジングと前記他方のハウジングのいずれかは、前記対向面とは反対側の外側面に、前記積層方向と交差する幅方向に沿う領域を切欠した形状で、前記積層方向および前記幅方向と交差する奥行方向に延び、奥行方向両端が開放された溝部が凹設されている積層コネクタ。
【請求項２】
前記領域は、前記幅方向に延びるリブであり、前記溝部は、前記リブの外側面に前記幅方向に間隔をあけて複数設けられている請求項１に記載の積層コネクタ。
【発明の詳細な説明】
【技術分野】
【０００１】
本発明は、積層コネクタに関する。
【背景技術】
【０００２】
特許文献１に開示のコネクタは、互いに積層して合体される一対のコネクタハウジングを備えている。両コネクタハウジングは、それぞれ、積層方向と交差する幅方向の両端部に、両コネクタハウジングを合体状態に保持するコネクタハウジングロック手段を有している。両コネクタハウジングのうち、一方のコネクタハウジングには、両コネクタハウジングが互いに対向する対向面に、他方のコネクタハウジングに収容された接続用端子（以下、端子金具という）と干渉することで端子金具の半挿入状態を検知する係止突起（以下、検知部という）が突設されている。
【先行技術文献】
【特許文献】
【０００３】
【特許文献１】特開２００６−２９４５８０号公報
【発明の概要】
【発明が解決しようとする課題】
【０００４】
ところで、一方のコネクタハウジングの検知部が半挿入状態の端子金具と干渉すると、他方のコネクタハウジング内への検知部の進入が規制されるため、半挿入状態の端子金具と検知部との干渉位置で、両コネクタハウジングの対向面間に隙間が生じてしまう。
両コネクタハウジングの対向面間に隙間が生じると、両コネクタハウジングの対向面とは反対側の外側面間の寸法が規定寸法よりも大きくなるため、外側面間の寸法が規定寸法よりも大きいことを確認することで、半挿入状態の端子金具と検知部とが干渉していることを知ることができる。
【０００５】
具体的には、両コネクタハウジングの外側面間の寸法に対応した離間幅で平行に配置される一対の平行面を備えた治具（実施例ではあるが、図８および図９の符号８０を参照）を用意し、治具内へのコネクタの挿入が規制されることをもって、両コネクタハウジングの外側面間の寸法が規定寸法よりも大きいことを確認することができる。
【０００６】
しかし、検知部が半挿入状態の端子金具と干渉したときに、検知部が干渉相手の端子金具から過大な反力を受けて潰れる懸念がある。仮に、検知部が潰れると、両コネクタハウジングの対向面間の隙間が詰まり、両コネクタハウジングの外側面間の寸法が規定寸法に収まって、治具内へのコネクタの挿入が許容されてしまい、ひいては端子金具の半挿入状態を検知することができないという問題がある。
【０００７】
本発明は上記のような事情に基づいて完成されたものであって、端子金具の半挿入検知の信頼性を向上させたコネクタを提供することを課題とする。
【課題を解決するための手段】
【０００８】
本発明の積層コネクタは、互いに積層される一対のハウジングを備え、前記一対のハウジングのうち、少なくとも一方のハウジングは、他方のハウジングと積層方向で対向する対向面に、他方のハウジングのキャビティに向けて突出し、前記キャビティに半挿入された端子金具と干渉する検知部を有し、前記一方のハウジングと前記他方のハウジングのいずれかは、前記対向面とは反対側の外側面に、前記積層方向と交差する幅方向に沿う領域を切欠した形状で、前記積層方向および前記幅方向と交差する奥行方向に延び、奥行方向両端が開放された溝部が凹設されているところに特徴を有する。
【０００９】
検知部が半挿入状態の端子金具と干渉すると、いずれかのハウジングが溝部を起点として幅方向に湾曲するように変形し、両ハウジングの外側面間の寸法を規定寸法よりも確実に大きくさせる。したがって、一対の平行面を有する治具内への積層コネクタの挿入が確実に規制され、端子金具の半挿入検知の信頼性を向上させることができる。
【図面の簡単な説明】
【００１０】
【図１】本発明の実施例１に係る積層コネクタの斜視図である。
【図２】積層コネクタの側断面図である。
【図３】図２のＸ−Ｘ線断面図である。
【図４】第１検知部が半挿入状態の第２端子金具と干渉したときの側断面図である。
【図５】第１ハウジングを下方から見た斜視図である。
【図６】第１ハウジングを上方から見た斜視図である。
【図７】第２ハウジングを下方から見た斜視図である。
【図８】正規に組み付けられた積層コネクタの治具内への挿入が許容される状態を示す図である。
【図９】第１検知部が半挿入状態の第２端子金具と干渉し、不正に組み付けられた積層コネクタの治具内への挿入が規制される状態を示す図である。
【発明を実施するための形態】
【００１１】
本発明の好ましい実施形態を以下に示す。
（１）前記領域は、幅方向に延びるリブであり、溝部は、リブの外側面に幅方向に間隔をあけて複数設けられているとよい。これによれば、ハウジングがより変形し易くなるため、治具内への積層コネクタの挿入がより確実に規制され、端子金具の半挿入検知の信頼性をいっそう向上させることができる。
【００１２】
＜実施例１＞
以下、実施例１を図１〜図９を参考に説明する。本実施例１の積層コネクタは、互いに積層される第１ハウジング１０Ａおよび第２ハウジング１０Ｂと、第１ハウジング１０Ａおよび第２ハウジング１０Ｂにそれぞれ収容される複数の第１端子金具６０Ａおよび第２端子金具６０Ｂと、を備えている。なお、以下の説明において、前後方向については、図２および図４の左側を前側とし、上下方向については、図７を除く各図の上下方向を基準とする。
【００１３】
第１ハウジング１０Ａは、下側に位置するロアハウジングであって、図６に示すように、上下方向（積層方向）と交差した幅方向を長手とする扁平形状をなし、上面に積層相手の第２ハウジング１０Ｂと対向する第１対向面１１Ａを有している。第１ハウジング１０Ａは、幅方向の両端部に、前後方向に沿った板片状の第１ハウジングロック部１２Ａを有している。
【００１４】
第１ハウジング１０Ａは、第１端子金具６０Ａを挿入可能な複数の第１キャビティ１３Ａを有している。各第１キャビティ１３Ａは、第１隔壁１４Ａで仕切られた状態で幅方向に一列に並んで配置されている。
【００１５】
第１ハウジング１０Ａは、前壁部分に、各第１キャビティ１３Ａと連通する複数の第１挿通口１５Ａを有している。積層コネクタが図示しない相手コネクタと嵌合すると、相手コネクタに装着された図示しない相手第１端子のタブが各第１挿通口１５Ａを通して対応する第１キャビティ１３Ａ内に進入するようになっている。
【００１６】
第１ハウジング１０Ａは、図６に示すように、第１対向面１１Ａに、各第１キャビティ１３Ａを幅方向に横切るように延びて各第１隔壁１４Ａの上端に連結される第１架設部１６Ａを有している。第１架設部１６Ａは、帯板状をなし、前後方向に間隔をあけて複数設けられている。
【００１７】
第１ハウジング１０Ａの第１対向面１１Ａには、前後略中央部に配置された第１架設部１６Ａの前方に連設され、幅方向に一つ置きに配置された各第１隔壁１４Ａの上端に連結される複数の第１検知部１７Ａが突設されている。各第１検知部１７Ａは、角ブロック状をなし、図２に示すように、上面に、前後方向に沿った第１検知面１８Ａを有し、前面に、上下方向に沿った第１抜止面１９Ａを有している。後述するように、第１検知部１７Ａは、積層相手の第２ハウジング１０Ｂに収容された第２端子金具６０Ｂの半挿入状態を検知するとともに、第２端子金具６０Ｂを抜け止めする機能を果たす。
【００１８】
図３に示すように、各第１隔壁１４Ａのうち、第１検知部１７Ａが連結されない、他の一つ置きに配置される第１隔壁１４Ａは、隣接する第１検知部１７Ａ間における上端に、前後の隣接部分から一段落ちた第１凹所２１Ａを有している。第１凹所２１Ａには、後述する第２検知部１７Ｂが進入可能とされている。
【００１９】
第１ハウジング１０Ａは、各第１キャビティ１３Ａと対応する位置に、各第１検知部１７Ａの前端部分から前方へ片持ち状に突出する第１ランス２４Ａを有している。各第１ランス２４Ａは、全体が第１対向面１１Ａに露出している。図２に示すように、第１ランス２４Ａは、第１キャビティ１３Ａに挿入された第１端子金具６０Ａを弾性的に係止し、第１端子金具６０Ａを抜け止めする。
【００２０】
図５に示すように、第１ハウジング１０Ａの下面の後端部には、幅方向の全長にわたって延びるリブ３１が突設され、さらに、リブ３１の後端における幅方向に間隔をあけた複数位置から後方へ延びる交差リブ３２が突設されている。リブ３１および各交差リブ３２は、いずれも断面矩形状をなし、互いに直交している。第１ハウジング１０Ａの下面のうち、リブ３１および各交差リブ３２を除く領域は、前後方向および幅方向に沿って平坦な平坦面部３３とされている。リブ３１の下面および各交差リブ３２の下面は、互いに段差無く連なり、平坦面部３３と同様、前後方向および幅方向に沿って平坦な端面部３４とされている。これら平坦面部３３および端面部３４は、第１対向面１１Ａとは反対側の外側面を構成している。
【００２１】
図５に示すように、リブ３１の端面部３４には、幅方向に間隔をあけた複数位置に、溝部３５が凹設されている。各溝部３５は、断面略矩形状をなし、それぞれ同一形状を呈している。そして、各溝部３５は、前後方向に延びてリブ３１の前面および後面に開口し、幅方向で隣接する交差リブ３２間に、２つずつ対をなして配置されている。リブ３１の後面は、第１ハウジング１０Ａの後面でもあり、各溝部３５は、第１ハウジング１０Ａの後面に開口している。リブ３１の端面部３４側の剛性は、各溝部３５によって低下させられる。リブ３１ひいては第１ハウジング１０Ａは、各溝部３５を起点として幅方向に湾曲するように弾性変形可能とされる。なお、仮に、第１ハウジング１０Ａにリブ３１そのものが設けられていないと、第１ハウジング１０Ａは所定の強度を確保することが困難になる。
【００２２】
第１端子金具６０Ａは、導電性の金属板を曲げ加工等して成形され、図２に示すように、前部に角筒状の第１本体部６１Ａを有し、第１本体部６１Ａよりも後方に、電線Ｗ１の端部に電気的および機械的に接続される第１バレル部６２Ａを有している。第１本体部６１Ａは、上面に、上方へ膨出する形態の第１係止突部６３Ａを有している。
【００２３】
第２ハウジング１０Ｂは、上側に位置するアッパハウジングであって、図７に示すように、幅方向を長手とする扁平形状をなし、下面に積層相手の第１ハウジング１０Ａと対向する第２対向面１１Ｂを有している。
【００２４】
図１に示すように、第２ハウジング１０Ｂは、上面の幅方向の中央部に、片持ち状に突出する撓み可能なロックアーム２８を有している。図７に示すように、第２ハウジング１０Ｂは、幅方向の両端部に、前後に間隔をあけた複数の第２ハウジングロック部１２Ｂを有している。各第２ハウジングロック部１２Ｂが対応する第１ハウジングロック部１２Ａに弾性的に係止されることにより、第１ハウジング１０Ａおよび第２ハウジング１０Ｂが合体状態に保持される。また、合体状態にある第１ハウジング１０Ａおよび第２ハウジング１０Ｂが相手コネクタと嵌合することにより、ロックアーム２８が相手コネクタを弾性的に係止し、相手コネクタと離脱規制状態に保持される。
【００２５】
図１に示すように、第２ハウジング１０Ｂの上面は、ロックアーム２８を挟んだ幅方向の両側に、一対の保護壁３６が立設され、幅方向の両端部に、大型のキャビティ３７を包囲する筒状包囲部３８が立設されている。さらに、第２ハウジング１０Ｂは、各筒状包囲部３８の上端後部間にわたって架設され、各保護壁３６の上端後部と連結される覆い壁３９を有している。覆い壁３９は、ロックアーム２８に不要な解除操作力が作用するのを規制する。このように、第２ハウジング１０Ｂの上面側は、ロックアーム２８、各保護壁３６、各筒状包囲部３８および覆い壁３９によって強固に補強されている。このため、第２ハウジング１０Ｂは、第１ハウジング１０Ａと違って、幅方向に湾曲するように弾性変形する構造になっていない。
【００２６】
第２ハウジング１０Ｂは、第１キャビティ１３Ａと同様の形態の第２キャビティ１３Ｂ、第１隔壁１４Ａと同様の形態の第２隔壁１４Ｂ、第１挿通口１５Ａと同様の形態の第２挿通口１５Ｂ、第１架設部１６Ａと同様の形態の第２架設部１６Ｂ、第１検知部１７Ａと同様の形態の第２検知部１７Ｂ、第１凹所２１Ａと同様の形態の第２凹所２１Ｂおよび第１ランス２４Ａと同様の形態の第２ランス２４Ｂを有している。図２に示すように、第２検知部１７Ｂは、第１抜止面１９Ａと同様の形態の第２抜止面１９Ｂおよび第１検知面１８Ａと同様の形態の第２検知面１８Ｂを有している。
【００２７】
配置に関して、第２ハウジング１０Ｂの前記部分は、第１ハウジング１０Ａの相当する部分とは上下の向きが逆である。第１ハウジング１０Ａおよび第２ハウジング１０Ｂが合体状態にあるときに、第２架設部１６Ｂは、第１架設部１６Ａの前方または後方に嵌合状態で配置され（図２を参照）、第２検知部１７Ｂは、第１凹所２１Ａに進入し、第２凹所２１Ｂは、第１検知部１７Ａを進入させる（図３を参照）。第１架設部１６Ａおよび第２架設部１６Ｂが前後方向で噛み合い、第１検知部１７Ａおよび第２検知部１７Ｂが幅方向で噛み合うことにより、合体状態にある第１ハウジング１０Ａおよび第２ハウジング１０Ｂが第１対向面１１Ａおよび第２対向面１１Ｂに沿って位置ずれするのが規制される。また、第１ハウジング１０Ａおよび第２ハウジング１０Ｂが合体状態にあるときに、各第１ランス２４Ａおよび各第２ランス２４Ｂは、幅方向に同ピッチで配列され、互いに背合わせに配置される。
【００２８】
第２端子金具６０Ｂは、第１端子金具６０Ａと同一の形状であって、図２に示すように、電線Ｗ２の端部に接続され、第１端子金具６０Ａとは上下逆向きの姿勢で第２キャビティ１３Ｂに挿入され、第２ランス２４Ｂに係止される。第２端子金具６０Ｂは、第１本体部６１Ａと同様の形態の第２本体部６１Ｂと、第１バレル部６２Ａと同様の形態の第２バレル部６２Ｂと、第１係止突部６３Ａと同様の形態の第２係止突部６３Ｂと、を有している。
【００２９】
次に、本実施例１の積層コネクタの組み付け方法および作用を説明する。
組み付けに際し、第１端子金具６０Ａが第１ハウジング１０Ａの第１キャビティ１３Ａに後方から挿入される。第１端子金具６０Ａが第１キャビティ１３Ａに正規に挿入されると、第１ランス２４Ａが第１係止突部６３Ａの後端に当接可能に配置され、第１端子金具６０Ａが第１キャビティ１３Ａに抜け止めされた状態に一次的に係止される。同様に、第２端子金具６０Ｂが第２ハウジング１０Ｂの第２キャビティ１３Ｂに挿入され、第２ランス２４Ｂによって抜け止めされた状態に一次的に係止される。
【００３０】
続いて、第１対向面１１Ａおよび第２対向面１１Ｂが上下方向で向き合わされ、その状態で第１ハウジング１０Ａおよび第２ハウジング１０Ｂが接近させられて互いに合体される。ここで、第２端子金具６０Ｂが第２キャビティ１３Ｂに正規に挿入されていれば、第１検知部１７Ａが対応する第２凹所２１Ｂに進入し、その第２凹所２１Ｂを挟んで隣接する第２キャビティ１３Ｂに挿入された２つの第２端子金具６０Ｂに第１検知部１７Ａが対応位置し、２つの第２端子金具６０Ｂの第２本体部６１Ｂに、第１検知部１７Ａの第１抜止面１９Ａが後方から当接して係止可能に配置される（図２および図３を参照）。同様に、第１端子金具６０Ａが第１キャビティ１３Ａに正規に挿入されていれば、第２検知部１７Ｂが対応する第１凹所２１Ａに進入し、その第１凹所２１Ａを挟んで隣接する第１キャビティ１３Ａに挿入された２つの第１端子金具６０Ａに第２検知部１７Ｂが対応位置し、２つの第１端子金具６０Ａの第１本体部６１Ａに、第２検知部１７Ｂの第２抜止面１９Ｂが後方から当接して係止可能に配置される。これにより、第１端子金具６０Ａおよび第２端子金具６０Ｂが第１キャビティ１３Ａおよび第２キャビティ１３Ｂに二次的に確実に抜け止めされた状態になる。そして、第１ハウジング１０Ａおよび第２ハウジング１０Ｂが正規に合体されると、幅方向の両端部において、第１ハウジングロック部１２Ａおよび第２ハウジングロック部１２Ｂが互いに係止された状態になる（図１を参照）。
【００３１】
一方、第１端子金具６０Ａが第１キャビティ１３Ａに正規挿入されずに半挿入状態で留め置かされていると、第２検知部１７Ｂの第２検知面１８Ｂが第１本体部６１Ａの上面に当接し、第１対向面１１Ａと第２対向面１１Ｂとの間に隙間が形成されて、第２検知部１７Ｂの第１凹所２１Ａへの進入が規制される。同様に、図４に示すように、第２端子金具６０Ｂが第２キャビティ１３Ｂに正規挿入されず半挿入状態で留め置かれていると、第１検知部１７Ａの第１検知面１８Ａが第２本体部６１Ｂの下面に当接し、第１対向面１１Ａと第２対向面１１Ｂとの間に隙間が形成されて、第１検知部１７Ａの第２凹所２１Ｂへの進入が規制される。
【００３２】
第１検知部１７Ａの第１検知面１８Ａが第２本体部６１Ｂの下面に当接し、あるいは、第２検知部１７Ｂの第２検知面１８Ｂが第１本体部６１Ａの上面に当接すると、その当接位置では第１対向面１１Ａと第２対向面１１Ｂとの間に大きな隙間が形成されるものの、当接位置から離れるに従って隙間が小さくなり、幅方向の両端部では第１ハウジングロック部１２Ａおよび第２ハウジングロック部１２Ｂの係止状態が実現される。このため、図９に示すように、第１ハウジング１０Ａは、第２ハウジング１０Ｂに対し、上記の当接位置において最も大きく膨らむようにして、幅方向の両端部（第１ハウジングロック部１２Ａおよび第２ハウジングロック部１２Ｂの係止部位）間にわたる全体が正面視で弓なりに湾曲する形態になる。ここで、リブ３１の端面部３４に凹設された各溝部３５はその溝幅を広げることで、第１ハウジング１０Ａの湾曲変形を可能ならしめる。
【００３３】
図３に示すように、第２検知部１７Ｂが第１凹所２１Ａに進入し、さらに、第１検知部１７Ａが第２凹所２１Ｂに進入した状態では、第１対向面１１Ａと第２対向面１１Ｂとが隙間なく対向し、リブ３１および各交差リブ３２の下面を構成する第１基準面７０Ａ（端面部３４、第１ハウジング１０Ａの下側の外側面）が各溝部３５を除いて幅方向に沿って水平に配置され、覆い壁３９の上面を構成する第２基準面７０Ｂ（第１ハウジング１０Ａの上側の外側面）が幅方向の全長にわたって水平に配置される。このため、第１基準面７０Ａと第２基準面７０Ｂとの間の上下距離は、幅方向に沿って一定の所定値に保たれる。第１基準面７０Ａと第２基準面７０Ｂとの間が所定値に保たれているのは、図８および図９に示す治具８０で確認することができる。
【００３４】
治具８０は、上記所定値に相当する離間寸法で平行に配置される一対の平面部８１と、両平面部８１の一端間をつなぐ奥面部８２とを有し、両平面部８１と奥面部８２とで断面凹状に形成されている。
【００３５】
図８に示すように、第１基準面７０Ａと第２基準面７０Ｂとが互いに平行であり、第１基準面７０Ａと第２基準面７０Ｂとの間が所定値とされている場合に、積層コネクタ（合体状態にある第１ハウジング１０Ａおよび第２ハウジング１０Ｂ）が図８の矢印方向に沿って治具８０内に差し込まれると、第１基準面７０Ａおよび第２基準面７０Ｂがそれぞれに対応する平面部８１に対面して当接可能な状態となる。このため、積層コネクタを治具８０内に正規深さで挿入させることができ、これをもって、第１基準面７０Ａおよび第２基準面７０Ｂが所定値に保たれているのを検知することができ、ひいては第１端子金具６０Ａおよび第２端子金具６０Ｂがそれぞれ第１キャビティ１３Ａおよび第２キャビティ１３Ｂに正規に挿入されているのを検知することができる。
【００３６】
一方、第２検知部１７Ｂが半挿入状態の第１端子金具６０Ａの上面に当接するか、あるいは、第１検知部１７Ａが半挿入状態の第２端子金具６０Ｂの下面に当接した状態では、第１対向面１１Ａと第２対向面１１Ｂとの間に隙間が形成され、既述のとおり、第１ハウジング１０Ａが第２ハウジング１０Ｂに対して弓なりに湾曲することで、第１基準面７０Ａ（第１ハウジング１０Ａの下側の外側面）が各溝部３５の変形を伴いつつ第２基準面７０Ｂから離れる方向に膨出する。第２基準面７０Ｂは、幅方向の全長にわたって水平に配置される状態が維持される。
【００３７】
この場合は、図９に示すように、第１基準面７０Ａと第２基準面７０Ｂとの間が第１基準面７０Ａの膨出領域で所定値を超えてしまうため、積層コネクタを、所定値に対応した一対の平面部８１間に差し込むことができない。このため、積層コネクタの治具８０内への挿入が規制されることをもって、第１基準面７０Ａおよび第２基準面７０Ｂが所定値を超えていることを検知することができ、ひいては第１端子金具６０Ａおよび第２端子金具６０Ｂに半挿入状態のものが含まれていることを検知することができる。
【００３８】
以上のとおり、本実施例１によれば、第１ハウジング１０Ａの第１基準面７０Ａに複数の溝部３５が設けられ、第１端子金具６０Ａと第２端子金具６０Ｂのいずれかが半挿入状態にあるときに、第１ハウジング１０Ａが各溝部３５を介して幅方向に湾曲して変形することができるため、積層コネクタの治具８０内への挿入が規制される。その結果、第１端子金具６０Ａと第２端子金具６０Ｂのいずれかが半挿入状態にあることを明確に検知することができ、半挿入検知の信頼性を高めることができる。
【００３９】
また、各溝部３５がリブ３１の端面部３４に幅方向に間隔をあけて設けられているため、第１ハウジング１０Ａがより変形し易くなる。その結果、半挿入状態の第１端子金具６０Ａおよび第２端子金具６０Ｂが第１ハウジング１０Ａおよび第２ハウジング１０Ｂの幅方向のいずれかの部位に含まれている場合に、積層コネクタの治具８０内への挿入が確実に規制され、半挿入状態の第１端子金具６０Ａおよび第２端子金具６０Ｂが含まれていることをいっそう確実に検知することができる。
【００４０】
＜他の実施例＞
以下、他の実施例を簡単に説明する。
（１）積層コネクタは、一対のハウジング（第１ハウジングおよび第２ハウジング）を含み、３つ以上のハウジングを積層して構成されるものであってもよい。
（２）溝部は、第１ハウジングに加えて第２ハウジングの外側面（上面）にも設けられ、第１ハウジングと第２ハウジングのいずれも弾性変形可能とされるものであってもよい。
（３）溝部は、第１ハウジングには設けられず、第２ハウジングの外側面（上面）にのみ設けられ、第２ハウジングのみが弾性変形可能とされるものであってもよい。
（４）溝部は、第１ハウジングと第２ハウジングの少なくとも一方における外側面の一箇所のみに凹設されるものであってもよい。
（５）溝部は、外側面に部分的に突設されるリブではなく、第１ハウジングと第２ハウジングの少なくとも一方における外側面に奥行方向の全長にわたって凹設されるものであってもよい。
（６）第１ハウジングおよび第２ハウジングの少なくとも一方が第１端子金具および第２端子金具の少なくとも他方の半挿入状態を検知する機能を有していればよく、第１検知部および第２検知部のいずれか一方を省略してもよい。
【符号の説明】
【００４１】
１０Ａ…第１ハウジング
１０Ｂ…第２ハウジング
１１Ａ…第１対向面
１１Ｂ…第２対向面
１３Ａ…第１キャビティ
１３Ｂ…第２キャビティ
１７Ａ…第１検知部
１７Ｂ…第２検知部
３１…リブ
３５…溝部
７０Ａ…第１基準面
７０Ｂ…第２基準面
【図１】
2020068099.tif 000003
【図２】
2020068099.tif 000004
【図３】
2020068099.tif 000005
【図４】
2020068099.tif 000006
【図５】
2020068099.tif 000007
【図６】
2020068099.tif 000008
【図７】
2020068099.tif 000009
【図８】
2020068099.tif 000010
【図９】
2020068099.tif 000011